(57)【要約】      （修正有）【課題】軟質ポリウレタン発泡体を製造するための、ウレタン含有末端ＮＣＯプレポリマーまたはセミ−または準プレポリマー組成物を提供する。【解決手段】遊離ＮＣＯ含量８〜３８重量％を有するプレポリマーまたはセミ−または準プレポリマー組成物であって、組成物１００重量部当たり、トリレンジイソシアネート５〜２０重量部；およびジフェニルメタンジイソシアネートおよびイソシアネート官能基３以上を有するその同族体８０〜９５重量部を含むポリイソシアネート組成物を含有し、該ポリイソシアネートの一部は下記（１）のポリオールとの付加体を含有するウレタンの形で存在する組成物。（１）平均表示ヒドロキシル官能価２〜６、平均当量１０００〜４０００を有し、オキシエチレン基５〜２５重量％を含有するポリオキシエチレン−ポリオキシプロピレン−ポリオール。【選択図】なし【特許請求の範囲】
【請求項１】
遊離ＮＣＯ含量８−３８重量％を有するプレポリマーまたはセミーまたは準プレポリマー組成物であって、組成物の１００重量部当たり、トリレンジイソシアネート５〜２０重量部；および、ジフェニルメタンジイソシアネートおよびイソシアネート官能価３以上を有するその同族体８０―９５重量部を含み、ジフェニルメタンジイソシアネートの量がジフェニルメタンジイソシアネートおよび同族体の合計量に基づき計算して７０―９５重量であり、ジフェニルメタンジイソシアネートが、このジフェニルメタンジイシシアネートの重量に基づき計算して、オルト位に少なくとも１個のＮＣＯ基を含有するジフェニルメタンジイシシアネート８―４５重量％を含むポリイソシアネート組成物を含有し、前記ポリイソシアネートの一部は、下記（ｂ）（１）のポリオールとの付加体を含有するウレタンの形で存在する組成物。
（ｂ）（１）平均表示ヒドロキシル官能価２−６、平均当量１０００−４０００を有し、オキシエチレン基５―２５重量％を含有するポリオキシエチレンーポリオキシプロピレンーポリオール；
【請求項２】
遊離ＮＣＯ含量が１２−２６重量％である請求項１に記載のプレポリマーまたはセミーまたは準プレポリマー組成物。
【請求項３】
付加体の量が、ポリイソシアネート組成物の３０−６０重量％である請求項１または２項に記載のプレポリマーまたはセミーまたは準プレポリマー組成物。
【請求項４】
３個のＮＣＯ基を有する同族体対４個以上のＮＣＯ基を有する同族体＋副生物の重量割合が１．０未満である、請求項１−３のいずれか１項に記載のプレポリマーまたはセミーまたは準プレポリマー組成物。
【発明の詳細な説明】
【発明の詳細な説明】
本発明は、軟質ポリウレタン発泡体を製造するための方法に関する。
有機ポリイソシアネートと高分子量イソシアネート反応性化合物とを発泡剤の存在で反応させることによって、軟質ポリウレタン発泡体を製造することは広く知られている。さらに詳しくは、ＥＰ−１１１１２１において、半−プレポリマーを含むポリイソシアネート組成物から軟質ポリウレタン発泡体を製造することが開示されている。ポリイソシアネート組成物は、ジフェニルメタンジイソシアネートとポリオールとを反応させることによって製造され；ポリメチレンポリフェニレンポリイソシアネート（高分子ＭＤＩ）も同様に使用される。ＥＰ−３９２７８８においては、軟質発泡体は、半−プレポリマーまたはプレポリマーを多量の水を含有するイソシアネート反応性組成物と反応させることによって製造されている。ＥＰ−２９６４４９においては、軟質発泡体は、ポリイソシアネート類、ポリオール類および水をかなり低いＮＣＯ指数で反応させることによって製造されている。
同時継続出願ＰＣＴ／ＥＰ９５／０２０６８は、高分子ＭＤＩの一部をポリオールと反応させ、その他の部分をかくして得られる反応生成物に付加することによって製造される半−プレポリマーを使用し、軟質発泡体を製造するための方法に係る。
ＭＤＩおよび高分子ＭＤＩならびに高分子ＭＤＩを基体とする有用な発泡体を得ることが可能であるが、改良の余地が存在する。特に、その発泡体が自動車シートのクッション材料として使用される密閉金型で製造される発泡体は、特に、発泡体の低密度での発泡体の強さ、レジリエンスに関して改良される余地がある。
過去において、これら改良の幾つかは、ＭＤＩの代わりに、トリレンジイソシアネート（ＴＤＩ）を使用することによって達成されている。特に、そのような発泡体は、低密度での高レジリエンス、良好な発泡体強さを示す。しかし、その蒸気圧および毒性により、ＴＤＩを取り扱うためには、特殊な手段が必要とされる。さらに、ＴＤＩ基体発泡体は、とりわけ、低密度で硬度が比較的乏しく、硬化が遅く、狭い加工領域（イソシアネート指数）を示す。
さらに最近では、ＭＤＩおよびＴＤＩの組み合わせを使用することによって、ＭＤＩ基体およびＴＤＩ基体の両発泡体の欠点を回避することが提案されている。
ＥＰ−４３９７９２においては、引張強さを改良するために、２１−９５重量％のＴＤＩを含むポリイソシアネートの使用が提案されているが、使用されるＴＤＩの量は、なお、かなり高い。
ＥＰ−６７９６７１においては、高い衝撃レジリエンス（ｉｍｐａｃｔ  ｒｅｓｉｌｉｅｎｃｅ）；改良された圧縮永久歪；および、６Ｈｚ振動伝達率を低減する優れた能力を有する低密度発泡体を製造するために、３−２０重量％のＴＤＩを含む高分子ＭＤＩとＴＤＩとの混合物の使用が提案されている。使用される高分子ＭＤＩは、４個以上のベンゼン環化合物含量＋活性のより低い成分と比較して、高い３個のベンゼン環化合物含量を有する。ポリマーポリオール類の使用は、非常に一般的な条件において提案されている。
ＥＰ−６９４５７０においては、ＭＤＩ、高分子ＭＤＩおよび５−１５重量％のＴＤＩを含むポリイソシアネートプレポリマーの使用が提案されている。ポリイソシアネートプレポリマーは、流動性を改良され；それによって製造される発泡体は、ＩＬＤ、圧縮永久歪および易燃性特性が改良されることが示されている。グラフトポリマーのポリオール分散液の使用も、また、同様に提案されている。
同時継続出願ＰＣＴ／ＥＰ９６／０４３９２においては、レジリエンス、発泡安定性、快適性および機械的強さを改良するために、ＭＤＩプレポリマーおよびＴＤＩを使用することが提案されている。ＴＤＩの量は、ポリイソシアネート組成物の２−２５重量％であってもよく、これは、ＭＤＩ＋ＴＤＩ官能価２．０５−２．３５を有する。スチレンおよび／またはアクリロニトリルの高分子ポリオール中でのｉｎ  ｓｉｔｕ重合によるか、または、ポリイソシアネートとトリエタノールアミンとの高分子ポリオール（ＰＩＰＡポリオール）中でのｉｎ  ｓｉｔｕ反応によって製造されるポリマーポリオールの使用が一般的な条件において提案されている。高分子ポリオールは、分散ポリマー５−５０重量％を含有することができる。
驚くべきことに、その組成物がイソシアネート官能価３以上を有するポリイソシアネートの制限された含量、制限された官能価およびＴＤＩ含量を、制限された量のＰＩＰＡポリオールを含むポリオール組成物とともに有するＭＤＩおよびＴＤＩのポリイソシアネート組成物を使用することによって、高レジリエンス、迅速な硬化、短い成形品の取り出し時間および良好な耐力特性、引裂強さ、伸び、快適性ならびに耐久性を示す低密度軟質成形発泡体を得ることができることが見いだされた。
したがって、本発明は、
（ａ）  組成物の１００重量部当たり、トリレンジイソシアネート５〜２０重量部；および、イソシアネート官能価３以上を有するジフェニルメタンジイソシアネートおよびその同族体８０−９５重量部を含み、ジフェニルメタンジイソシアネートの量がジフェニルメタンジイソシアネートおよび同族体の量の基づき計算して７０−９５重量％であり、ジフェニルメタンジイソシアネートが、このジフェニルメタンジイソシアネートの重量に基づき計算して、オルト位に少なくとも１個のＮＣＯ基を含有するジフェニルメタンジイソシアネート８−４５重量％を含み、更に３個ＮＣＯ基を有する同族体と４個又はそれ以上のＮＣＯ基を有する同族体＋副生成物との比が１．０以下であるポリイソシアネート組成物と；
（ｂ）  （１）  平均表示ヒドロキシル官能価２−６、好ましくは、２−４、最も好ましくは、３、平均当量１０００−４０００を有し、かつ、ポリマー鎖の末端に好ましくは存在するオキシエチレン基を５−２５重量％含有するポリオキシエチレン−ポリオキシプロピレン−ポリオール；
（２）  水２−７重量部；
（３）  平均表示ヒドロキシル官能価２−６、平均当量２００−１５００を有し、かつ、少なくとも６０重量％のオキシエチレン基を含有するポリエーテルポリオール２−１０重量部；
（４）  ポリイソシアネートと、複数のヒドロキシル−、第１級アミン−および／または第２級アミン基を有し、当量４００以下を有する化合物との反応生成物であり、前記ポリオール組成物に分散させた粒状物質１−１５重量部であり、（ｂ２）−（ｂ４）の量は、（ｂ１）の１００重量部当たりで計算されており；および、
（５）  所望により、それ自体公知の助剤および添加剤；
を含むポリオール組成物と；
をＮＣＯ指数７０−１２０で反応させることによって、軟質ポリウレタン発泡体を製造するための方法に係る。
さらに、本発明は、上記ポリイソシアネート組成物およびポリオール組成物を含む反応システムに係り、前記ポリイソシアネートおよびポリオール組成物に係る。
本出願のコンテキストにおいて、以下の用語は、以下の意味を有する：
（１）  イソシアネート指数もしくはＮＣＯ指数または指数：
配合物中に存在するイソシアネート反応性活性水素原子に関してのＮＣＯ基の比は、パーセンテージとして：
［ＮＣＯ］×１００／［活性水素］      （％）
で与えられる。換言すれば、ＮＣＯ指数は、配合物中の使用されるイソシアネート反応性水素の量と反応するのに理論的に必要とされるイソシアネートの量に関しての配合物中で実際に使用されるイソシアネートのパーセンテージを表す。
本明細書で使用するイソシアネート指数は、イソシアネート成分とイソシアネート反応性成分とを含む実際の発泡プロセスの観点から考察されるものであることを認識する必要がある。半プレポリマーまたはその他の改質ポリイソシアネート類を製造するための予備工程で消費されるいずれのイソシアネート基または改質ポリオール類またはポリアミン類を製造するためにイソシアネートと反応させられるいずれの活性水素もイソシアネート指数の計算には考慮に入れない。実際の発泡工程に存在する遊離のイソシアネート基および遊離のイソシアネート反応性水素（水の水素を含む）のみを考慮に入れる。
（２）  イソシアネート指数を計算するために本明細書で使用される“イソシアネート反応性水素原子”という表現は、ポリオール類、ポリアミン類および／または水の形態の反応性組成物中に存在するヒドロキシルおよびアミン水素原子の合計数をいい；これは、実際の発泡プロセスでイソシアネート指数を計算するために、１つのヒドロキシル基が１つの反応性水素を含むと考え、１つの水分子が２つの活性水素を含むと考えることを意味する。
（３）  反応システム：ポリイソシアネート成分がイソシアネート反応性成分とは別個の容器中に保たれる成分の組み合わせ。
（４）  本明細書で使用する“ポリウレタン発泡体”という表現は、発泡剤を使用して、ポリイソシアネート類をイソシアネート反応性水素含有化合物と反応させることによって得られる気泡生成物をいい、特に、反応性発泡剤として水で得られる気泡生成物を含む（尿素結合および二酸化炭素を生成し、ポリ尿素−ウレタン発泡体を生成する水のイソシアネート基との反応を含む。）。
（５）  “平均表示ヒドロキシル官能価”という用語は、本明細書で、数平均の官能価がそれらの製造に使用される開始剤の数平均官能価（１分子当たりの活性水素原子の数）であると仮定して、ポリオール組成物の数平均の官能価（１分子当たりのヒドロキシル基数）を示すために使用するが、実際には、若干の末端不飽和により幾分少ないことが多いであろう。“当量”という用語は、分子中のイソシアネート反応性水素原子当たりの分子量をいう。
（６）  “平均”という語は、数平均をいう。
使用されるジフェニルメタンジイソシアネート（ＭＤＩ）は、４，４’−ＭＤＩおよび２，４’−ＭＤＩ；ならびに１０重量％未満の２，２’−ＭＤＩ；および、カルボジイミド基、ウレトンイミン基、イソシアヌレート基、ウレタン基、アロファネート基、尿素基またはビューレット基を含有するそれらの改質変性体の異性体混合物から選択することができる。好ましいのは、２，４’−ＭＤＩ；少なくとも２５重量％のＮＣＯ含量を有するウレトンイミンおよび／またはカルボジイミド改質ＭＤＩ；ならびに、少なくとも１０００の分子量と少なくとも２５重量％のＮＣＯ含量とを有するポリオールと、過剰のＭＤＩとを反応させることによって得られるウレタン改質ＭＤＩからなる異性体混合物である。５−４５重量％の２，４’−ＭＤＩと５重量％未満の２，２’−ＭＤＩとを含み、残りが４，４’−ＭＤＩである異性体混合物が最も好ましい。
イソシアネート官能価３以上を有する同族体はいわゆる高分子または粗製のＭＤＩに含まれる。
高分子または粗製のＭＤＩは、イソシアネート官能価３以上を有するＭＤＩおよび同族体を含み、当分野周知である。これらは、アニリンとホルムアルデヒドとの酸縮合によって得られるポリアミン類の混合物のホスゲン化によって製造される。ポリアミン混合物およびポリイソシアネート混合物の両方ともその製造は周知である。強酸、例えば、塩酸の存在でのアニリンのホルムアルデヒドとの縮合により、より高い官能価のポリメチレンポリフェニレンポリアミン類とともに、ジアミノジフェニルメタンを含有する反応生成物が与えられ、その正確な組成は、公知のように、とりわけ、アニリン／ホルムアルデヒドの比に依存する。ポリイソシアネート類は、ポリアミン混合物のホスゲン化によって製造され、種々の割合のジアミン類、トリアミン類およびより高級なポリアミン類により、それらの量に比例する量のジイソシアネート類、トリイソシアネート類およびより高級なポリイソシアネート類を生ずる。このような粗製または高分子ＭＤＩ組成物におけるジイソシアネート、トリイソシアネートおよびより高級なポリイソシアネート類は、組成物の平均官能価、すなわち、１分子当たりのイソシアネートの平均数を決定する。出発物質の割合を変化させることによって、ポリイソシアネート組成物の平均官能価は、「２より少し大」〜「３またはそれより大」まで変化させることができる。しかし、実際には、平均イソシアネート官能価は、好ましくは、２．３−２．８の範囲である。これら高分子または粗製のＭＤＩのＮＣＯ価は、少なくとも３０重量％である。高分子または粗製のＭＤＩは，ジフェニルメタンジイソシアネートを含有し、残りは、ホスゲン化によりこのようなポリイソシアネート類の製造において形成される副生物とともに、官能価２より大のポリメチレンポリフェニレンポリイソシアネート類である。
高分子または粗製のＭＤＩは、２，４’−ＭＤＩおよび２，２’−ＭＤＩを含有してもよく、ポリイソシアネート組成物（ａ）におけるジフェニルメタンジイソシアネート中のオルトＮＣＯ置換ＭＤＩの範囲は、ＭＤＩ中および高分子または粗製のＭＤＩ中の２，２’−および２，４’−ＭＤＩの合計であることに留意すべきである。
３個のＮＣＯ基を有する同族体の４個以上のＮＣＯ基を有する同族体＋副生物にかかる比は、好ましくは、１．０未満である。このような比を有する粗製または高分子のＭＤＩは、市販入手可能であり；例えば、Ｉｍｐｅｒｉａｌ  Ｃｈｅｍｉｃａｌ  Ｉｎｄｕｓｔｒｉｅｓ  ＰＬＣからのＳｕｐｒａｓｅｃ  ＤＮＲが挙げられる。
使用されるトリレンジイソシアネートは、そのもの自体公知であり、全ての異性体およびそれらの混合物から選択することができ、特に、２，４−および２，６−トリレンジイソシアネートおよびそれらの混合物から選択することができ、これら混合物は、ＴＤＩ８０／２０およびＴＤＩ６５／３５として市販されている。
ポリイソシアネート組成物を製造するために使用される高分子または粗製のＭＤＩの合計量は、ジフェニルメタンジイソシアネートの量およびオルト置換ジイソシアネートの量が上記範囲に止まるようにする必要がある。当業者であれば、実施例に照らして、選択されるＭＤＩおよび高分子または粗製のＭＤＩに依存するその量を容易に計算することができるであろう。
ポリイソシアネート組成物（ａ）は、ＭＤＩ、ＴＤＩおよび粗製または高分子ＭＤＩをどのような順序でも、単に混合することによって製造される。
使用することのできるポリエーテルポリオール類（ｂ１）としては、必要とされる場合には、多官能価開始剤の存在下において、エチレンオキシドとプロピレンオキシドとの重合によって得られる生成物が挙げられる。適切な開始剤化合物は複数の活性水素原子を含有するものであり、例えば、水、ブタンジオール、エチレングリコール、プロピレングリコール、ジエチレングリコール、トリエチレングリコール、ジプロピレングリコール、エタノールアミン、ジエタノールアミン、トリエタノールアミン、トルエンジアミン、ジエチルトルエンジアミン、シクロヘキサンジアミン、シクロヘキサンジメタノール、グリセロール、トリメチロールプロパンおよび１，２，６−ヘキサントリオールを挙げることができる。開始剤および／または環状オキシド類の混合物を使用することができる。
ポリオキシエチレン−ポリオキシプロピレンポリオール類は、従来技術文献に十分に記載されているように、エチレンオキシドおよびプロピレンオキシドの開始剤への同時または逐次添加によって得ることができる。示された量のオキシエチレン基、特に、ポリマー鎖（キャップ又はチップされた）の末端にオキシエチレン基の少なくとも一部、および、好ましくは、全部を有するランダムコポリマー類、ブロックコポリマー類およびそれらの組み合わせを使用することができる。前記ポリオール類の混合物は、特に有用である。
平均表示官能価２−４、最も好ましくは、３と、オキシエチレン含量５−２５重量％を有し、好ましくは、ポリマー鎖の末端にオキシエチレン基を有するポリオキシエチレンポリオキシプロピレンポリオール類が最も好ましい。
過去数年の間に、低レベルの不飽和度を有するポリエーテルポリオール類を製造するための数種の方法が文献に記載された。これらの開発により、許容可能な低レベルの不飽和度を有するポリオールが多量に製造しうるようになったので、分子量範囲のより高級な末端にポリエーテルポリオールを使用することが可能となった。本発明に従えば、低レベルの不飽和度を有するポリオールが十分に使用される。特に、低レベルの不飽和度を有するこのような高分子量のポリオール類は、高い反発弾性（Ｂａｌｌ  Ｒｅｂｏｕｎｄ）を有する軟質発泡体を製造するために使用することができる。  ポリオール組成物（ｂ）に使用されるポリオール（ｂ３）は、（ｂ１）について挙げたポリエーテルポリオールから選択することができるが、ただし、その当量は、２００−１５００であり、そのオキシエチレン含量は、少なくとも６０重量％である。最も好ましいポリオールは、（１）オキシエチレン基がポリマー鎖にランダムに分布したオキシエチレン含量６０−９５重量％、平均当量１０００−１５００および平均表示ヒドロキシル官能価２−４を有するポリオキシエチレンポリオキシプロピレンポリオール類；および、（２）当量２００−５００を有するポリオキシエチレンポリオール類である。
複数のヒドロキシル−、第１級アミン−および／または第２級アミン基を有し、かつ、当量４００以下、好ましくは、２００以下を有する化合物（以下、共反応体と称する）とポリイソシアネートとの反応生成物であり、かつ、ポリオール中に分散された粒状物質（ｂ４）は、一般的に、当分野で、例えば、ＰＩＰＡポリオールのように公知である。このようなＰＩＰＡポリオールは、従来技術において、専ら記載されている：例えば、ＧＢ２０７２２０４、ＵＳ４４５２９２３、ＥＰ−４１８０３９およびＷＯ９４／１２５３３参照。このようなＰＩＰＡポリオールは、市販入手可能である：例えば、Ｉｍｐｅｒｉａｌ  Ｃｈｅｍｉｃａｌ  Ｉｎｄｕｓｔｒｉｅｓ  ＰＬＣからのＤａｌｔｏｃｅｌＴＭ  ＸＦ４１７。ポリイソシアネートと共反応体との反応生成物である粒状物質は、上記従来技術文献に記載されているようにして製造することができる。
通常、粒状物質は、共反応体をポリオール（ｂ１）に加え、続いて、ポリイソシアネートを添加することによって、ポリオール（ｂ１）中で製造される。共反応体およびポリイソシアネートの量は、ポリオール中に分散された粒状物質の所望される量に依存する。所望とあらば、分散された物質の濃度が上記の愚弟例の場合よりも高い場合は、ポリオール（ｂ１）で所望の濃度まで希釈することができる。所望される場合、ＥＰ−４１８０３９およびＷＯ９４／１２５３３３に記載されているような共反応体とポリイソシアネートとの特殊な添加のやり方を使用することができる。
共反応体とポリイソシアネートとの相対量は、一般的に、ポリイソシアネートと反応することの可能な共反応体中の水素原子の数がイソシアネート基の数を上回るように選択される。  粒状物質を製造するのに使用されるポリイソシアネートは、１分子当たり少なくとも２個、好ましくは、２−４個のイソシアネート基を有するいずれかの化合物である。ポリイソシアネートは、脂肪族、芳香族または脂環式であってもよいが、芳香族タイプが、それらの性質および反応性により好ましい。これらタイプの典型的なものは、例えば、ｍ−またはｐ−フェニルジイソシアネート、トルエン−２，４−ジイソシアネート、トルエン−２，６−ジイソシアネート、ヘキサメチレン−１，６−ジイソシアネート、テトラメチレン−１，４−ジイソシアネート、シクロヘキサン−１，４−ジイソシアネート、ヘキサヒドロトルエンジイソシアネート（および異性体）、ナフチレン−１，５−ジイソシアネート、１−メチルフェニル−２，４−フェニルジイソシアネート、ジフェニルメタン−４，４’−ジイソシアネート、ジフェニルメタン−２，４’−ジイソシアネート、４，４’−ビフェニレンジイソシアネート、３，３’−ジメトキシ−４，４’−ビフェニレンジイソシアネートおよび３，３’−ジメチルジフェニルプロパン−４，４’−ジイソシアネートのようなジイソシアネート類；トルエン−２，４，６−トリイソイアネートのようなトリイソイアネート類；および、４，４’−ジメチルジフェニルメタン−２，２’，５，５’−テトライソシアネートのようなテトライソシアネート；ならびに、種々のポリメチレン−ポリフェニルポリイソシアネート（高分子または粗製のＭＤＩ）のようなその他のポリイソシアネート類である。
共反応体は、複数の−ＯＨ、＞ＮＨおよび／または−ＮＨ２基と、活性水素原子当たりの当量４００以下、好ましくは、２００以下とを有する物質である。共反応体は、ポリオール中ｉｎ  ｓｉｔｕでポリイソシアネートと反応するので、共反応体は、ポリイソシアネートに対して、ポリオールよりも反応性であることが好ましい。好ましい共反応体は、アルカノールアミン類、低当量アミン開始ポリエーテルポリオール類、アルキレンオキシド、アクリロニトリルまたはアクリルエステルのアミン付加体；アミン類、第１級アミン類、第２級アミン類、ヒドラジン類、ジヒドラジド類、尿素、アンモニア、マンニッヒ縮合体；低当量ヒドロキシル末端化合物、例えば、エチレングリコール、グリセリン、グリコールエーテル類、ペンタエリスリトール、アミノベンゼン類；または、これらの混合物である。これらのうち、アルカノールアミン類が最も好ましい。適切なアルカノールアミン類としては、モノ−、ジ−およびトリアルカノールアミン類、特に、アルカノール基が２−６個、好ましくは、２−３個の炭素原子を有するものが挙げられる。モノ−およびジアルカノールアミン類は、また、１個のＮ−アルキル置換基、好ましくは、１−６個の炭素原子を有する１個のＮ−アルキル置換基を有してもよい。
これらのうちで好ましいものは、モノエタノールアミン、ジエタノールアミン、トリエタノールアミン、Ｎ−メチルエタノールアミン、Ｎ−エチルエタノールアミン、Ｎ−ブチルエタノールアミン、Ｎ−メチルジエタノールアミン、ジイソプロパノールアミン、トリイソプロパノールアミン、Ｎ−メチルイソプロパノールアミン、Ｎ−エチルイソプロパノールアミンおよびＮ−プロピルイソプロパノールアミンである。
適切な第１級および／または第２級アミン類としては、多価脂肪族アミン、芳香族脂肪族アミン、脂環式アミンおよび芳香族アミン類が挙げられ、例えば、エチレンジアミン、１，２−および１，３−プロピレンジアミン、テトラメチレンジアミン、ヘキサメチレンジアミン、ドデカメチレンジアミン、トリメチルジアミノヘキサン、Ｎ，Ｎ’−ジメチルエチレンジアミン、エチレンジアミンの高級同族体、例えば、ジエチレントリアミン、トリエチレンテトラミンおよびテトラエチレンペンタミン；プロピレンジアミンの同族体、４−アミノベンジルアミン、４−アミノフェニルエチルアミン、ピペラジン、Ｎ，Ｎ’−ビスアミノエチルジプロピレントリアミンおよび１−アミノ−３，３，５−トリメチル−５−アミノメチルシクロヘキサンが含まれる。
適切なヒドラジン類としては、ヒドラジンそれ自体；および、Ｃ１−Ｃ６アルキル、シクロヘキシルまたはフェニル基のような置換基を有するモノ置換またはＮ，Ｎ’−ジ置換ヒドラジン類が挙げられる。これらのうち、ヒドラジンそれ自体が好ましい。
適切なヒドラジド類としては、多官能価カルボン酸類、例えば、炭酸、シュウ酸、マロン酸、コハク酸、アジピン酸、セバチン酸、アゼライン酸、マレイン酸、フマル酸、フタル酸、イソフタル酸およびテレフタル酸のヒドラジド類；ヒドラジンモノカルボン酸の２価または多価アルコール類およびフェノール類とのエステル類が挙げられる。これらヒドラジド類は、好ましくは、分子量９０−１０００を有する。
反応体は、有益には、混合物が液体であり、かつ、反応体が分解しないいずれかの温度で混合されるが、好ましくは、０〜１７０℃、さらに好ましくは、１５〜７０℃で混合される。イソシアネートと共反応体とは、複数の小さな粒子の形成を促進するために、有益には、撹拌しつつ、混合される。粒子寸法を最適とし、生成する分散液の粘度を最小とするために、通常、速い撹拌が望ましい。この方法は、ＵＳ特許Ｎｏ．４，３７４，２０９に記載されているように、バッチ式でも、連続式でも実施することができる。
ポリイソシアネートと共反応体との反応は、発熱的であることが多く、迅速に進行し、本質的には、大部分の場合、１分〜３時間で、好ましくは、１〜３０分で完了するが、これは、ポリイソシアネートと共反応体との選択、バッチサイズおよび初期温度に幾分依存する。撹拌は、好ましくは、反応期間を通して行われる。
所望とあらば、反応を促進するために、ポリイソシアネートと共反応体との反応のための触媒を使用することができる。適切な触媒としては、ポリウレタン類を製造するためにこの分散液を使用することについて以下に記載したものが挙げられ、有機錫触媒が好ましい。触媒の量は、有益には、ポリオールに基づき、１重量％以下、好ましくは、０．１重量％以下、さらに好ましくは、０．０５重量％以下である。しかし、触媒は、必ずしも必要ではなく、特に、より反応性の共反応体では必要ない。
分散粒状物質を含むポリオールが一度製造されると、ポリオール組成物（ｂ）は、水とポリオール（ｂ３）とを加え、混合することによって製造される。
このポリオール組成物（ｂ）に、ウレタンおよび尿素結合の形成を促進する触媒（例えば、第３級アミンおよび有機錫触媒）、当量３１〜２００未満を有し、２−８個のイソシアネート反応性水素原子を有する鎖延長剤及び架橋剤（例えば、エタノールアミン、ジエタノールアミン、トリエタノールアミン、エチレングリコール、ジエチレングリコール、トリエチレングリコール、プロピレングリコール、ジプロピレングリコール、ブタンジオール、グリセロール、トリメチロールプロパン、ペンタエリスリトール、ソルビトール、シュクロース、分子量４００未満を有するポリエチレングリコール、トルエンジアミン、ジエチルトルエンジアミン、シクロヘキサンジアミン、フェニレンジアミン、ジフェニルメタンジアミン、アルキル化されたジフェニルメタンジアミンおよびエチレンジアミン）；界面活性剤；安定剤；難燃剤；充填剤；抗酸化剤；抗微生物剤；着色剤；および、水以外の発泡剤（例えば、加圧下、ポリイソシアネートまたはポリオール組成物を介して供給される気体または液体のＣＯ２）のようなそれ自体公知の添加剤および助剤を添加できる。
発泡体は、ポリイソシアネート組成物（ａ）およびポリオール組成物（ｂ）を合わせ、混合し、その混合物を反応させることによって製造される。その相対量は、７０−１２０で変化させることができ、当業者であれば、選択されるポリイソシアネートおよびポリオール組成物より容易に計算することのできる所望される指数に依存する。ポリイソシアネート組成物（ａ）およびポリオール組成物（ｂ）の使用のさらなる利点は、指数７０−１２０で操作するために、組成物の相対量を過度に異ならせないことであり、これにより、組成物の計量および混合が容易となる。
本方法は、連続式または不連続式のスラブ材軟質発泡体を製造するために使用することができ、成形される軟質発泡体は、いわゆるフォームインファブリック（ｆｏａｍ−ｉｎ−ｆａｂｒｉｃ）およびポアインプレース（ｐｏｕｒ−ｉｎ−ｐｌａｃｅ）用途を含む開放式金型または密閉式金型で製造される。
本発明に従い製造される軟質発泡体は、フリーライズ密度２０−６０ｋｇ／ｍ３（ＩＳＯ８４５）を有することができ、マットレス、クッション、家具シートおよび自動車用シートに使用することができる。
本発明に従う方法は、ワンショットプロセス、プレポリマープロセスまたは半−もしくは準−プレポリマープロセスに従い実施することができる。プレポリマーおよび半−または準−プレポリマープロセスにおいて、ポリオール組成物に使用されるポリオール類の全部または一部は、ポリイソシアネートと水との反応、すなわち、発泡が生ずる前に、過剰量のポリイソシアネートと予備反応される。プレポリマーまたは半−もしくは準−プレポリマープロセスを使用する場合、好ましくは、ポリオール（ｂ１）の全部または一部のみが予備反応させられる。ポリイソシアネート組成物中の成分の量を計算するにはいずれの予備反応されるポリオールも考慮せず、ポリオール組成物中の成分の量を計算するために考慮することに留意すべきである。
本発明は、また、このようなプレポリマーおよび半−プレポリマー組成物にも係る。好ましくは、このような組成物は、遊離のＮＣＯ含量８−３８重量％、好ましくは、１２−２６重量％を有し、これらは、前記したポリイソシアネート組成物（ａ）を含有し、前記ポリイソシアネートの一部は、ポリオール（ｂ１）との付加体を含有するウレタンの形で存在し、この付加体の量は、好ましくは、ポリイソシアネート組成物の３０−６０重量％である。
本発明に従うこのようなプレポリマーまたは半−プレポリマー組成物は、好ましくは、過剰量のジフェニルメタンジイソシアネート（ＭＤＩ）；および、所望により、高分子または粗製のＭＤＩ（ＭＤＩとイソシアネート官能価３以上を有するその同族体を含む）とポリオールとを反応させ、この反応生成物にトリレンジイソシアネート（ＴＤＩ）；および、所望により、ＭＤＩおよび／または高分子または粗製のＭＤＩを付加することによって製造される。高分子または粗製のＭＤＩは、ポリオールとの反応に使用さるべきＭＤＩに付加することができ、高分子または粗製のＭＤＩは、ＭＤＩとポリオールとの反応生成物に付加させることができ、高分子または粗製のＭＤＩの一部は、ポリオールと反応させられるべきＭＤＩに付加され、他方、他の一部は、かくして得られる反応生成物に付加される。
ＭＤＩ；（および、所望により、高分子または粗製のＭＤＩ）とポリオールとの間のプレポリマーを製造するための反応は、公知のように、成分を混合し、それらを反応させることによって行われる。好ましくは、反応は、ＮＣＯ価の変化がもはや観測されなくなるまで、６０−１００℃で行われる。通常、その反応は、１−４時間で完了する。ウレタン基の形成を高める触媒を、所望とあらば、使用することができるが、必ずしも必要ではない。場合によっては、使用されるポリオール類は、少量の触媒またはその残渣を含有している（これらは、このようなポリオールを製造するために使用され）、これら触媒または残渣の存在は、ＭＤＩとポリオールとの反応について有害作用を有し；これを克服するためには、酸または酸ハライド、例えば、ベンゾイルクロライド、トルエンスルホニルクロライドまたはチオニルクロライドをその成分に対して少量（一般的に、１０００ｐｐｍ未満）加えることができる。反応が完了した後、生成物は、ＴＤＩ；および、所望により、さらなるＭＤＩ、高分子ＭＤＩおよび／または粗製のＭＤＩと混合される。
実施例１及び実施例２
（１）７８．６重量％の４，４’−ジフェニルメタンジイソシアネートと２１．４重量％の２，４’−ジフェニルメタンジイソシアネートとを含有する４３．０重量部のジフェニルメタンジイソシアネートおよび１１．０重量部のＮＣＯ価３０．７重量％および数平均官能価２．７（Ｓｕｐｒａｓｅｃ  ２１８５，Ｓｕｐｒａｓｅｃは、ＩＣＩの商標である。）を有するポリメチレンポリフェニレンポリイソシアネートを混合し、（２）この混合物に、表示官能価３、数平均分子量６０００およびオキシエチレン含量１５重量％（全てチップ）を有する３８．０重量部のポリオキシエチレンポリオキシプロピレンポリオールを添加し、（３）続いて、この混合物を８５℃で４時間混合および反応させることによって、プレポリマーを製造した。反応後、プレポリマーを８部の上記ポリメチレンポリフェニレンポリイソシアネートと混合する。このプレポリマー混合物の９０．１部をＴＤＩ９．９部と１５分間混合することによって、イソシアネートＡを製造する。このプレポリマー混合物８６．６部をＴＤＩ１３．４部と１５分間混合することによって、イソシアネートＢを製造する。
ポリオール類、水、触媒および界面活性剤を表に示した重量部の量混合することによって、イソシアネート反応性組成物を製造した。
金型内でイソシアネートＡおよびＢをイソシアネート反応性組成物と反応させることによって、成形軟質発泡体を製造した（金型温度６５℃および寸法２１．４１，機械：Ｋｒａｕｓｓ  Ｍａｆｆｅｉ  Ｋｏｍｅｔ  ４０／２０）。
2007327068.tif 000002
これら混合物を検算すると：
2007327068.tif 000003
2007327068.tif 000004
2007327068.tif 000005
ポリオールＡ：１５％ＷのＥＯ末端を含む６０００ＭＷのポリオキシエチレン／ポリオキシプロピレントリオール；ＯＨ価＝２８ｍｇ  ＫＯＨ／ｇ
ポリオールＢ：ＰＩＰＡポリオール；Ｄａｌｔｏｃｅｌ  ＸＦ  ４１７  ｅｘ  ＩＣＩ；２０％ｗの分散粒状物質を含有する。
ポリオールＣ：７５％ｗのランダムに分布したＥＯを有する４０００ＭＷのポリオキシエチレン／ポリオキシプロピレントリオール；ＯＨ価＝４２ｍｇ  ＫＯＨ／ｇ
ポリオールＤ：１４．２％ｗの末端ＥＯを有する４７００ＭＷのポリオキシエチレン／ポリオキシプロピレントリオール；ＯＨ価＝３６ｍｇ  ＫＯＨ／ｇ
Ｄａｂｃｏ  ３３ｌｖ：Ａｉｒ  Ｐｒｏｄｕｃｔｓによって供給されているアミン触媒
Ｎｉａｘ  Ａｌ：Ｏｓｉ  Ｓｐｅｃｉａｌｉｔｉｅｓによって供給されているアミン触媒
Ｂ  ４１１３：Ｔｈ．Ｇｏｌｄｓｃｈｍｉｄｔ  ＡＧによって供給されているシリコーン界面活性剤
型から取り出した後（５分後）、以下の表に記載したような性質を有する発泡体が得られた。
2007327068.tif 000006